(57)【特許請求の範囲】
【請求項１】
対象物に文字や図柄等の識別表示を光学的に認識可能に設けて対象物の真正性を識別するための対象物の識別媒体であって、蓄光層、紫外線蛍光層、不透明な着色層のいずれかで構成される第１の層と、この第１の層と異なる色および／または画像を有し、蓄光層、紫外線蛍光層、不透明な着色層のいずれかで構成される第２の層と、上記第２の層に単層で埋め込まれ、一端部が上記第２の層から突出するとともに他端部が上記第１の層に接触する球状の透明ビーズとを備えたことを特徴とする対象物の識別媒体。
【請求項２】
前記第１の層と第２の層との間に、遮光性のある中間層を設けたことを特徴とする請求項１に記載の対象物の識別媒体。
【請求項３】
屈折率が前記透明ビーズの屈折率と異なる透明樹脂層により上記透明ビーズを被覆したことを特徴とする請求項１または２に記載の対象物の識別媒体。
【請求項４】
対象物に文字や図柄等の識別表示を光学的に認識可能に設けて対象物の真正性を識別するための対象物の識別媒体であって、第１の層と、この第１の層と異なる色および／または画像を有する第２の層と、上記第２の層に単層で埋め込まれ、一端部が上記第２の層から突出するとともに他端部が上記第１の層に接触する球状の透明ビーズと、上記第１の層と第２の層との間に設けられた遮光性のある中間層とを備えたことを特徴とする対象物の識別媒体。
【請求項５】
対象物に文字や図柄等の識別表示を光学的に認識可能に設けて対象物の真正性を識別するための対象物の識別方法であって、蓄光層、紫外線蛍光層、不透明な着色層のいずれかで構成され、色および／または画像が互いに異なる複数の層構造と、一端部が上記層構造の表面から突出するとともに他端部が上記層構造の最下層に接触する球状の透明ビーズとを備えた識別媒体に対して、視角を変えて複数の上記色および／または画像を観察することを特徴とする対象物の識別方法。
【請求項６】
第１の層の表面に、この第１の層と異なる色および／または画像を有する第２の層を形成し、上記第２の層に球状の透明ビーズの一部を埋め込んでその端部を上記第１の層に接触させることを特徴とする対象物の識別媒体の製造方法。
【発明の詳細な説明】
【０００１】
【発明の属する技術分野】
本発明は、商品を梱包したパッケージ、パスポート、カード、紙幣、金券、証券、証書、商品券、絵画、切符、公共競技投票券等の平面的な対象物または各種立体的な対象物の真正性を識別するための識別媒体、その製造方法および識別方法に関する。
【０００２】
【従来の技術】
従来、例えばカード、証書類の偽造防止方法としては、その対象物の表面にホログラムを貼付したり特殊なインクを塗布する技術が知られている。ホログラムでは、立体的に見えたり見る角度で色が変わることを目視で確認して識別を行っていた。また、特殊なインクとしては、蛍光インクや磁気インクなどがあり、目視では通常のインクと変わりがないが、紫外線を照射したり磁気センサで検出することにより、隠れた情報によって対象物を識別することができる。
【０００３】
【発明が解決しようとする課題】
しかしながら、ホログラム製造技術が普及するに伴い、その偽造技術も向上し、真正品と見分けがつかない偽造品が容易に製造できるようになってきている。また、蛍光インクや磁気インクは類似品が入手し易いため偽造が容易であるとともに、識別のための装置が大がかりで電源を必要とするため、使い勝手が悪いという欠点がある。
【０００４】
したがって、本発明は、偽造が困難であるとともに、真偽の識別を容易かつ確実に行うことができる対象物の識別媒体を、その製造方法および識別方法を提供することを目的としている。
【０００５】
【課題を解決するための手段】
本発明の対象物の識別媒体は、対象物に文字や図柄等の識別表示を光学的に認識可能に設けて対象物の真正性を識別するための対象物の識別媒体であって、蓄光層、紫外線蛍光層、不透明な着色層のいずれかで構成される第１の層と、この第１の層と異なる色および／または画像を有し、蓄光層、紫外線蛍光層、不透明な着色層のいずれかで構成される第２の層と、第２の層に単層で埋め込まれ、一端部が第２の層から突出するとともに他端部が第１の層に接触する球状の透明ビーズとを備えたことを特徴としている。また、本発明の対象物の識別媒体は、対象物に文字や図柄等の識別表示を光学的に認識可能に設けて対象物の真正性を識別するための対象物の識別媒体であって、第１の層と、この第１の層と異なる色および／または画像を有する第２の層と、第２の層に単層で埋め込まれ、一端部が第２の層から突出するとともに他端部が第１の層に接触する球状の透明ビーズと、第１の層と第２の層との間に設けられた遮光性のある中間層とを備えたことを特徴としている。
【０００６】
球状の透明ビーズに光が入射すると、入射した光は第１の層または第２の層との界面で焦点を結び、そこで反射して入射経路と反対の経路を進む。なお、このような現象は再帰反射と呼ばれている。本発明の識別媒体を正面から視ると、第１の層で反射した光が見え、斜めから見ると第２の層で反射した光が見える。したがって、そのような識別媒体を設けた対象物は、垂直方向と斜め方向から観察される色や画像により真正品か否かを識別することができ、真偽の識別を容易かつ確実に行うことができる。
【０００７】
本発明では、第１の層と第２の層との間に、遮光性のある中間層を設けると好適である。この中間層により、第１の層の色や画像が第２の層を通して透けて見えるようなことがなくなり、第１の層と第２の層とを鮮明に視認することができる。また、透明ビーズの脱落を防止するために、屈折率が透明ビーズの屈折率と異なる透明樹脂層により透明ビーズを被覆することも好適な態様である。さらに、第２の層を色や画像などを変えて複数層設けることもできる。この場合には、見る角度によって様々な色や画像に変化するので、さらに偽造が困難となる。
【０００８】
第１の層は、着色した紙や樹脂、あるいは紙や樹脂の表面に顔料や染料を用いて印刷を施したもので構成することができる。また、第２の層は樹脂で構成することができる。たとえば、第１の層に人の顔などを印刷しておき、第２の層を赤色などで着色しておく。この場合、識別媒体を正面から見ると人の顔が見えるが、視野を傾けると全面が赤色になって人の顔が消える。また、透明ビーズの僅かな部分が第１の層と接触するようにしておけば、真正面から見たときだけ人の顔が見えるようになる。これらは可視光で視認できるものでよいが、以下のように構成するとさらに偽造が困難となる。
【０００９】
たとえば、第１の層および第２の層の少なくともいずれか一方を、例えば紫外線などの受けた光のエネルギーを蓄えて暫時蛍光する蓄光層とすることができる。この場合、識別媒体を付した対象物を例えば掌で覆うなどして暗くすると、それ自体が蛍光するため、正面および斜めから視認して識別することができる。また、第１の層および第２の層の少なくともいずれか一方を、紫外線を受けて蛍光する紫外線蛍光層とすることもできる。この場合、識別媒体に紫外線を照射し、正面および斜めから視認して識別することができる。
【００１０】
透明ビーズとしては、ガラスビーズやアクリル樹脂などの合成樹脂からなる樹脂ビーズを用いることができ、その平均粒径は３０〜９０μｍが好適である。透明ビーズの平均粒径が３０μｍ未満では、第２の層の厚さのばらつきや透明ビーズの直径および埋設深さが性能に影響し易くなる。また、第１、第２の層に設けた文字等の画像が鮮明に見えなくなるとともに、透明ビーズの製造コストが割高になる。一方、透明ビーズの平均粒径が９０μｍを超えると、その厚さが厚くなるとともに、表面の凹凸が目立つようになる。また、透明ビーズを紙などの表面に設けると、皺が生じたときに透明ビーズが剥離し易くなる。さらに、透明ビーズどうしの間隔が大きくなるため、第１、第２の層に設けた文字などの画像が不鮮明となる。また、透明ビーズの屈折率は、上述した再帰反射を確実に実現するために１．５〜２．４が好適である。屈折率が１．５を下回ると、透明ビーズに平行に入射した光の焦点を結ぶ位置は、画像等が存在する透明ビーズと第１、第２の層との境界よりも先の位置となる。このため、平行に入射した光がその経路をたどって平行に戻って来ないため、像がはっきりとしなくなる。また、屈折率が２．４を超えると、透明ビーズに平行に入射した光が透明ビーズの中で焦点を結び、第１、第２の層との界面で反射した光が広がりながら戻って来るため、同様に像がはっきりとしなくなる。ただし、本発明はそのような透明ビーズに限定されるものではなく、また、透明であれば有色か無色であるかも問わない。また、第１の層および第２の層には任意の樹脂やインク等の材料を用いることができ、蓄光層や紫外線蛍光層を構成する樹脂も公知のものを利用することができる。
【００１１】
次に、本発明の識別媒体の製造方法は、第１の層の表面に、この第１の層と異なる色および／または画像を有する第２の層を形成し、第２の層に球状の透明ビーズの一部を埋め込んでその端部を第１の層に接触させることを特徴としている。この製造方法によれば、第１、第２の層および透明ビーズからなる層構造を簡単に製造することができる。
【００１２】
本発明の製造方法をさらに具体化すると以下のとおりである。
たとえば、シート状の基体上に第１の層を塗工した後乾燥する。次に、第１の層の表面に第２の層を塗工し、その粘着性を保った状態で第２の層上に透明ビーズを供給して単層で付着させる。次いで、第２の層上の余分な透明ビーズを除去して表面を均一にした後、プレス機や加圧ロール等で粉体を粘着性層に埋め込み、その後、第２の層を固化して識別媒体を製造することができる。
【００１３】
あるいは、振動可能に構成された容器内に透明ビーズおよび鉄球などの加圧媒体を充填し、振動させた容器内に第１、第２の層を形成したシートを収容する。これにより、第２の層上に付着した透明ビーズが加圧媒体によって中に打ち込まれ、透明ビーズを第２の層に埋め込むことができる。この場合、第２の層の硬さや処理時間などを調整することにより、透明ビーズの埋め込み深さを調整することができる。また、透明ビーズを表面活性剤で処理したり適当な樹脂で被覆したりすることにより、透明ビーズの濡れ性を低くする（撥水性を高める）と好適である。このような処理を行うことにより、透明ビーズが第２の層を貫通して第１の層に達するときに、第２の層の材料が透明ビーズに付着し難くなるので、光学的特性を向上させることができる。
【００１４】
上記のような製造方法であっても、第１の層は、紙や樹脂製シートなどのように粘着性の無いものであっても良い。あるいは、第１の層を硬化しない粘着材によって構成することもできる。この場合には、剥離紙等の剥離層に第１の層を形成することにより、剥離層を剥がして識別媒体を任意の対象物に貼着することができる。
【００１５】
中間層は、第１の層の上に例えば白色の塗料を塗布することで形成することができ、あるいは、アルミニウム等の金属を蒸着することによっても形成することができる。第１の層、中間層および第２の層を形成した後、上記のような製造方法により透明ビーズを埋め込むと、透明ビーズによって中間層が破られ、透明ビーズは第１の層と接触する。そのような処理を可能にするとともに遮光性を得るために、中間層の厚さは５００〜１５００Åが好ましい。
【００１６】
本発明の識別媒体は、透明ビーズを第１、第２の層に埋め込んで製造するため、振動する容器や加熱媒体といった特殊な設備や部品を必要とする。そのような設備等はさほど複雑で大型ではなく、そのコストが設備の導入の障害になることは少ない。しかしながら、識別媒体を偽造するためにそのような設備を導入することはまず考えられないから、実質的に偽造は不可能と言うことができる。
【００１７】
【発明の実施の形態】
以下、本発明の実施の形態について図面を参照して説明する。
［第１実施形態］
図１において符号１は第１の層であり、この実施形態では緑色に着色されている。また、符号２は第２の層であり、この実施形態では赤色に着色されている。第２の層２には、多数のガラスビーズ（透明ビーズ）３が平面視でほぼ最密状態で単層に埋め込まれている。ガラスビーズ３は、透明の球体であり、その平均粒径は３０〜９０μｍ、屈折率は１．５〜２．４とされている。また、ガラスビーズ３のほぼ上半分は第２の層２から突出し、下半分の端部は第１の層１と接触している。
【００１８】
上記構成の識別媒体では、正面からガラスビーズ３に入射した光は、第１の層１との境界で焦点を結び、そこで反射して入射経路と反対の経路を進む。したがって、識別媒体を正面から見ると第１の層１の色である緑色に見える。また、識別媒体を斜めから見ると、斜めからガラスビーズ３に入射した光は、第２の層２との境界で焦点を結び、そこで反射して入射経路と反対の経を進む。したがって、識別媒体を斜めから見ると第２の層２の色である赤色に見える。したがって、そのような識別媒体を設けた対象物は、垂直方向と斜め方向から観察される色の相違により、真正品か否か目視によって識別することができる。
【００１９】
［第２実施形態］
図２は本発明の第２実施形態を示す図である。この実施形態は、第１の層１および第２の層２の間に、遮光性のある中間層４を設けた点で上記第１実施形態と異なっている。この実施形態では、中間層４により、第１の層１の色が第２の層２を通して透けて見えるようなことがないから、第１の層１と第２の層２とを鮮明に視認することができる。
【００２０】
［第３実施形態］
図３は本発明の第３実施形態を示す図である。この実施形態は、上記第２実施形態において第１の層１を粘着剤で構成し、第１の層１の裏面に剥離紙５を設けたものである。この実施形態では、剥離紙５を第１の層１から剥がすことにより、任意の対象物に貼着することができる。
【００２１】
［第４実施形態］
図４は、上記第３実施形態において、ガラスビーズ３および第２の層２を覆う透明樹脂層６を設けたものである。この場合、透明樹脂層６の屈折率は、ガラスビーズ３の屈折率と異なっている。この実施形態では、ガラスビーズ３の脱落が透明樹脂層６によって防止されるので、耐久性に優れるという利点がある。
【００２２】
［第５実施形態］
図５は、上記第１実施形態において第２の層を下層２ａと表層２ｂの２層で構成したものである。この場合、下層２ａは黄色に着色され、表層２ｂは赤色に着色されている。この実施形態では、識別媒体を正面から観察すると第１の層の緑色に見える。そして、視角を傾けてゆくと下層２ａの黄色に見え、さらに視角を傾けると表層２ｂの赤色に見える。つまり、緑から赤に段階的にシフトするように見えるので、美的な効果も得ることができる。
【００２３】
上記いずれの実施形態においても、第１の層１および第２の層２は、不透明な着色層、蓄光層、紫外線蛍光層のいずれかで構成することができ、その組み合わせも任意である。たとえば、第３実施形態において、第１の層１を紫外線で緑色に蛍光する透明又は半透明の白色系の材料で構成し、第２の層２を紫外線で赤色に蛍光する透明又は半透明の白色系の材料で構成することができる。この場合、識別媒体を明るい所で見ると、剥離紙５の色（例えば白色）が見えるだけであるが、ＵＶランプで照らして識別媒体を正面から見ると緑色に輝いて見え、ＵＶランプで斜めから照らして斜めから見ると赤色に輝いて見えるようになる。また、第１、第２の層１，２を透明な樹脂で構成し、それぞれの表面に紫外線蛍光インクで文字や絵を描いておくこともできる。この場合には、正面からは緑色の文字や絵が見え、斜めからは赤色の別の文字や絵が見える。
【００２４】
また、第３実施形態において、第１の層１を紫外線で緑色に蛍光し、紫外線を除去しても暫く蛍光する透明な蓄光材料で構成し、第２の層２を紫外線で赤色に蛍光し、紫外線を除去しても暫く蛍光する透明又は半透明の白色系の蓄光材料で構成することができる。この場合、識別媒体を明るい所で見ると、剥離紙５の色が見えるだけであるが、識別媒体を暗所に持って行ったり掌で覆うなどして正面から見ると緑色に輝いて見え、斜めから見ると赤色に輝いて見えるようになる。また、第１、第２の層１，２を透明な樹脂で構成し、それぞれの表面に紫外線蓄光インクで文字や絵を描いておくこともできる。この場合には、正面からは緑色の文字や絵が見え、斜めからは赤色の別の文字や絵が見える。さらに、第１、第２の層１，２を、樹脂を用いずに直接インクによって構成することもできる。上記のような蓄光層を設けることにより、自然光や紫外線によって識別媒体に蓄光することができ、識別媒体を掌で覆うなどの簡単な操作によって識別することができる。したがって、ＵＶランプなどの特別な装置を必要としないで確実な識別行えるという利点がある。
【００２５】
さらに、第１の層１を紫外線蛍光層で構成し、第２の層２を蓄光層で構成することもできる。この場合、ＵＶランプで照らして正面から見ると紫外線蛍光層が緑色に輝いて見えるが、ＵＶランプを切って斜めから見ると蓄光層が赤色に輝いて見える。もちろん、第１の層１を蓄光層で構成し、第２の層２を紫外線蛍光層で構成することもでき、色の種類も任意である。
【００２６】
【実施例】
［第１実施例］
剥離紙の表面に、乾燥後の膜厚が４０μｍとなるように蓄光塗料（商品名：ルミノーバＧ−３００Ｆ、根本特殊化学株式会社製）を塗工した後に乾燥し、第１の層を形成した。この蓄光塗料は、明るい所では白色であるが、紫外線を吸収して暗い所で緑色に蛍光するものを用いた。次いで、第１の層の表面に、乾燥後の膜厚が２０μｍとなるように蓄光塗料（商品名：ルミノーバＢＧ−３００、根本特殊化学株式会社製）を塗工し、第２の層を形成した。この蓄光塗料は、明るい所では白色であるが、紫外線を吸収して暗い所で青色に蛍光するものを用いた。
【００２７】
次に、容器の中に平均粒径が７０μｍ、屈折率が２．４のガラスビーズと、平均粒径が０．２ｍｍの加圧鋼球を充填し、これに上記シートを収容して容器を振動させた。この場合、シートを板状の治具に固定し、容器の振動方向がシートの厚さ方向となるように調整した。振動時間を充分に設定してガラスビーズを第２の層に埋め込み、実施例の識別媒体を得た。照明を点灯した室内において得られた識別媒体を掌で覆って正面から観察したところ、緑色に蛍光しているのが確認された。また、掌で識別媒体を多いながら視角を傾けていったところ、約４５度で蛍光色が青色に変化した。
【００２８】
［第２実施例］
第２の層として紫外線蛍光塗料（商品名：ルミペースト・レッド、株式会社ネクストアイ製）を用いた以外は第１実施例と同様にして識別媒体を作製した。この識別媒体に対して約４５度の角度からＵＶランプで照らし、同じ角度から識別媒体を観察したところ、赤色に蛍光していることが確認された。次に、ＵＶランプを消灯し、識別媒体を手で覆って正面から観察したところ、緑色に蛍光していることが確認された。
【００２９】
［第３実施例］
第１の層と第２の層の間にアルミニウム蒸着層（厚さ：１０００Å）を設けた以外は第２実施例と同様にして識別媒体を作製した。この識別媒体に対して約４５度の角度からＵＶランプで照らし、同じ角度から識別媒体を観察したところ、赤色に蛍光していることが確認され、第２実施例のときよりも鮮やかな色を呈した。次に、ＵＶランプを消灯し、識別媒体を正面から観察したところ、緑色に蛍光していることが確認された。
【００３０】
【発明の効果】
以上説明したように本発明によれば、透明ビーズによって見る角度に応じて第１の層または第２の層が視認できるようにしているから、対象物の真偽判定を目視で簡単かつ確実に行うことができるとともに、偽造が困難である等の優れた効果を得ることができる。
【図面の簡単な説明】
【図１】  本発明の第１実施形態の識別媒体を示す断面図である。
【図２】  本発明の第２実施形態の識別媒体を示す断面図である。
【図３】  本発明の第３実施形態の識別媒体を示す断面図である。
【図４】  本発明の第４実施形態の識別媒体を示す断面図である。
【図５】  本発明の第５実施形態の識別媒体を示す断面図である。
【符号の説明】
１  第１の層
２  第２の層
３  ガラスビーズ（透明ビーズ）
４  中間層
５  剥離紙
６  透明樹脂層
【図１】
0003982749.tif 000002
【図２】
0003982749.tif 000003
【図３】
0003982749.tif 000004
【図４】
0003982749.tif 000005
【図５】
0003982749.tif 000006